(57)【特許請求の範囲】
【請求項１】
縦方向および横方向と、身体側内面および着衣側外面と、前記縦方向に連なる前ウエスト域、後ウエスト域、前後ウエスト域間に位置するクロッチ域とを含むシャーシと、前記前後ウエスト域に取り付けられた前後ウエストシートとを含み、前記シャーシは、前記前後ウエスト域の前記横方向に対向し前記縦方向に延びる一対の前後側縁と、前記クロッチ域であって前記前後側縁の間に延びる一対のクロッチ側縁と、前記縦方向に対向し前記横方向に延びる前後端縁とを含み、前記前後側縁を互いに接合することにより前記前後端縁で囲まれるウエスト開口が形成され、前記クロッチ側縁で囲まれるレッグ開口が形成される着用物品において、
前記前ウエストシートは、前記シャーシの一方の前記前側縁から他方の前記前側縁に亘って前記幅方向に延び、前記後ウエストシートは、前記シャーシの一方の前記後側縁から他方の前記後側縁に亘って前記幅方向に延びるとともに、前記前後ウエストシートは前記前後側縁どうしの接合部において前記縦方向に離間していることを特徴とする上記着用物品。
【請求項２】
前記前後ウエストシートのいずれか一方は、前記ウエスト開口に接して位置し、いずれか他方は前記レッグ開口に接して位置する請求項１記載の着用物品。
【請求項３】
少なくとも前記クロッチ域に位置する吸液構造体をさらに含み、
前記吸液構造体は、前記縦方向に対向し前記横方向に延びる前後端縁を含み、前記前後端縁は前記前後ウエストシートで覆われるとともに、前記前後ウエストシートは、前記吸液構造体を介して前記シャーシに接合される請求項１または２記載の着用物品。
【請求項４】
前記吸液構造体の前記縦方向の寸法を二等分する横中心線は、前記シャーシの前記縦方向の寸法を前記横方向二等分する横中心線よりも前記前ウエスト域側に位置する請求項１〜３のいずれかに記載の着用物品。
【請求項５】
前記前後ウエストシートは、前記シャーシの前記身体側内面および着衣側外面のいずれか一方に取り付けられる請求項１〜４のいずれかに記載の着用物品。
【請求項６】
前記前後ウエストシートの少なくともいずれか一方は、熱融着性の繊維を含み、前記接合部は熱溶着により形成される請求項１〜５のいずれかに記載の着用物品。
【発明の詳細な説明】
【技術分野】
【０００１】
この発明は、着用物品に関し、さらに詳しくは使い捨てのおむつ、排便トレーニングパンツ、失禁ブリーフ等の着用物品に関する。
【背景技術】
【０００２】
従来、使い捨てのおむつにおいて、前後ウエスト域にウエストシートを取り付けた構造として、例えば特開２００６−２４７００９号公報（特許文献１）が公知である。この特許文献１によれば、おむつは内面シートおよび外面シートと、内面シートの身体側に取り付けられた吸収体とを備えている。吸収体の身体側には、吸収体の前後端縁を覆うようにウエストシートが接合されている。吸収体は、芯材であるパルプ繊維をティッシュペーパで包むことによって形成される。吸収体の前後端縁をウエストシートで覆うことによって、芯材であるパルプ繊維が吸収体からこぼれ出るのを防止することができる。
内外面シートは、縦方向に延びる両側縁と、横方向に延びる前後端縁とによって形成され、前後ウエスト域の両側縁を互いに接合することによってウエスト開口とレッグ開口とを形成し、プルオン・パンツ型を構成する。
【特許文献１】特開２００６−２４７００９号公報
【発明の開示】
【発明が解決しようとする課題】
【０００３】
前後ウエストシートは、内面シートの前後端縁からほぼ等しい距離にそれぞれ位置している。したがって、両側縁を互いに接合した場合にはこの接合部において、前後ウエストシートが互いに対向して重なるようになる。これに対して前後端縁近傍では、前後ウエストシートが存在していないから、内面シートが互いに重なる。すなわち、接合部には内面シートが互いに重なる部分と、前後ウエストシートが重なる部分とが形成される。内面シートが互いに重なる部分では、接合部の厚さは内外面シート２組分、すなわちシート４枚分の厚さとなる。前後ウエストシートが対向する部分では、前後ウエストシートとさらにその着衣側に位置する内外面シートが重なるので、シート６枚分の厚さとなる。
【０００４】
接合部は均等に加圧しながら熱溶着によって接合されるので、このように両側縁において、重なるシート量が異なると、シートが多く厚くなった部分では接合強度が大きくなり、シートが少なく薄くなった部分では相対的に接合強度が小さくなる。すなわち、接合強度が均一にならないという問題がある。特に、レッグ開口付近では着用者の下半身の動きによって接合部に剥離する方向の力が作用しやすく、強度が小さいと接合が剥離してしまうという問題がある。その一方で、おむつの使用後は、接合部を剥離して、おむつを丸めて小さくして捨てることができるようにしていることが多い。接合部の強度が大きすぎると、使用後に剥離しようとしても、接合部から剥離せず意図しない部分から妄りに裂けてしまうという問題がある。
【０００５】
この発明では、前後ウエスト域の接合部において接合強度が極端に偏ることのない着用物品を提供することを課題とする。
【課題を解決するための手段】
【０００６】
この発明は、縦方向および横方向と、身体側内面および着衣側外面と、前記縦方向に連なる前ウエスト域、後ウエスト域、前後ウエスト域間に位置するクロッチ域とを含むシャーシと、前記前後ウエスト域に取り付けられた前後ウエストシートとを含み、前記シャーシは、前記前後ウエスト域の前記横方向に対向し前記縦方向に延びる一対の前後側縁と、前記クロッチ域であって前記前後側縁の間に延びる一対のクロッチ側縁と、前記縦方向に対向し前記横方向に延びる前後端縁とを含み、前記前後側縁を互いに接合することにより前記前後端縁で囲まれるウエスト開口が形成され、前記クロッチ側縁で囲まれるレッグ開口が形成される着用物品の改良に関わる。
【０００７】
この発明は前記着用物品において、前記前ウエストシートは、前記シャーシの一方の前記前側縁から他方の前記前側縁に亘って前記幅方向に延び、前記後ウエストシートは、前記シャーシの一方の前記後側縁から他方の前記後側縁に亘って前記幅方向に延びるとともに、前記前後ウエストシートは、前記接合部において前記縦方向に離間していることを特徴とする。
【０００８】
好ましい実施態様のひとつとして、前記前後ウエストシートのいずれか一方は、前記ウエスト開口に接して位置し、いずれか他方は前記レッグ開口に接して位置する。
【０００９】
好ましい他の実施態様のひとつとして、少なくとも前記クロッチ域に位置する吸液構造体をさらに含み、前記吸液構造体は、前記縦方向に対向し前記横方向に延びる前後端縁を含み、前記前後端縁は前記前後ウエストシートで覆われるとともに、前記前後ウエストシートは、前記吸液構造体を介して前記シャーシに接合される。
【００１０】
好ましい他の実施態様のひとつとして、前記吸液構造体の前記縦方向の寸法を二等分する横中心線は、前記シャーシの前記縦方向の寸法を前記横方向二等分する横中心線よりも前記前ウエスト域側に位置する。
【００１１】
好ましい他の実施態様のひとつとして、前記前後ウエストシートは、前記シャーシの前記身体側内面および着衣側外面のいずれか一方に取り付けられる。
【００１２】
好ましい他の実施態様のひとつとして、前記前後ウエストシートの少なくともいずれか一方は、熱融着性の繊維を含み、前記接合部は熱溶着により形成される。
【発明の効果】
【００１３】
前後ウエストシートは、接合部において縦方向に離間するようにしているので、重なるシートの枚数が極端に増えて、接合強度が大きくなることがない。したがって、一定の加圧下で接合部が形成された場合であっても、その接合強度をほぼ均等にすることができる。
【００１４】
前後ウエストシートのいずれか一方は、ウエスト開口に接して位置し、いずれか他方はレッグ開口に接して位置するようにしている。ウエスト開口およびレッグ開口では接合部の端部を形成するので、これら接合が剥離する方向の力が作用しやすく剥離しやすい。しかし、前後ウエストシートを配置することによって着用物品におけるウエスト開口およびレッグ開口が厚くなり、接合強度を大きくすることができ、着用時にこれら開口から接合部が剥離してしまうのを防止することができる。
【００１５】
着用物品において吸液構造体をさらに含み、吸液構造体の前後端縁を前後ウエストシートで覆うようにしたので、吸液構造体から吸液性芯材がこぼれでてくるのを防止することができる。
【００１６】
吸液構造体の横中心線は、シャーシの横中心線よりも前ウエスト域側に位置するようにしているので、水分の排泄が多い前ウエスト域における吸水能を向上させることができる。しかも、シャーシの前後側縁を接合した場合に、吸液構造体の前後端縁の位置がずれるので、この前後端縁に沿って前後ウエストシートを取り付けた場合には、これらウエストシートが重ならない。したがって、接合部における厚さが極端に異なるのを防止することができる。
【００１７】
前後ウエストシートは、シャーシの身体側内面あるいは着衣側外面のいずれか一方に取り付けることとしたので、前後ウエストシートをシャーシの形成後に取り付けることができ、その製造工程を簡素化することができる。
【００１８】
前後ウエストシートの少なくともいずれか一方は、熱融着性の繊維を含み、接合部は熱溶着により形成されることとしたので、接合部を容易かつ低コストで形成することができる。
【発明を実施するための最良の形態】
【００１９】
着用物品として使い捨ておむつを用い、この発明の一例を説明する。
図１はおむつ１の着用状態を示した図であり、説明のためその一部を破断している。図示したように、おむつ１は吸液性のシャーシ２と吸液構造体３と前後ウエストシート４，５とを含む。シャーシ２はプルオン・パンツ型に形成され、前ウエスト域６、後ウエスト域７および前記前後ウエスト域６，７間に位置するクロッチ域８を有している。前ウエスト域６からクロッチ域８を通って後ウエスト域７へと向かう方向を縦方向Ｙとし、これに直行する方向を横方向Ｘとしている。
【００２０】
シャーシ２は、横方向Ｘに対向し縦方向Ｙに延びるとともに前ウエスト域６に位置する一対の前側縁９と、後ウエスト域７に位置する一対の後側縁１０と、クロッチ域８に位置する一対のクロッチ側縁１１とを含み、縦方向Ｙに対向し横方向Ｘに延びる前後端縁１２，１３とを含む。前後側縁９，１０を互いに接合し接合部２５を形成することによって、前後端縁１２，１３で囲まれた領域にウエスト開口１４が形成されるとともに、クロッチ側縁１１で囲まれた領域に一対のレッグ開口１５が形成される。
【００２１】
シャーシ２は、身体側内面を形成する内面シート１６と着衣側外面を形成する外面シート１７によって形成されている。内外面シート１６，１７の間であってウエスト開口１４の周縁部に沿って複数条のウエスト弾性体１８が延び、レッグ開口１５の周縁部に沿って複数条のレッグ弾性体１９が延びている。それら弾性体１８，１９は、内外面シート１６，１７の少なくとも一方に接着剤（図示せず）を介して伸長状態で接合されている。外面シート１７の着衣側には、少なくともクロッチ域８に位置するとともに、クロッチ域８から前後ウエスト域６，７に向かって延びる吸液構造体３が形成されている。
【００２２】
内外面シート１６，１７は、透液性の不織布を用いることができ、少なくとも内外面シート１６，１７のいずれか一方には熱融着性の例えばポリオレフィン繊維を含む。このように熱融着性の繊維を含むことによって、接合部２５は対向させた前後端縁１２，１３を加圧加熱することによって形成することができる。
【００２３】
図２は、図１の接合部２５における前後側縁９，１０の接合を解き、おむつ１を縦方向Ｙと横方向Ｘとに展開した図であり、図３は図２のＩＩＩ−ＩＩＩ線端面図、図４は図２のＩＶ−ＩＶ線端面図である。図２〜４は、前後ウエスト域６，７とクロッチ域８とが同一平面上に位置するようにしたおむつ１の平面図であり、おむつ１は平面状になるように各弾性体の伸縮力の作用を停止させた状態を示し、図２は説明のためその一部を破断させている。おむつ１は、横方向Ｘの寸法を二等分する縦中心線Ｐ−Ｐと、縦方向Ｙの寸法を二等分する横中心線Ｑ−Ｑとを有し、縦中心線Ｐ−Ｐに関して左右対称である。クロッチ側縁１１が前後側縁９，１０に対して縦中心線Ｐ−Ｐに向かって凸に湾曲するように形成されることによって、シャーシ２はほぼ砂時計型に形成されている。
【００２４】
吸液構造体３は、シャーシ２の着衣側、すなわち外面シート１７に対向して形成されている。吸液構造体３は、吸液性芯材２０と、芯材２０を包むティッシュペーパ等の吸液拡散シート２１と、吸液拡散シート２１の着衣側に配置された漏れ防止シート２２と、漏れ防止シート２２を覆うカバーシート２３とを含む。漏れ防止シート２２は透湿性のプラスチックフィルム等を用いることができ、芯材２０に吸収された体液がおむつ１から漏れるのを防止する。芯材２０はフラッフパルプと高吸収性ポリマー粒子との混合物等を用いることができ、カバーシート２３には通気性不織布等を用いることができる。
【００２５】
吸液構造体３は、縦方向Ｙに対向し横方向Ｘに延びる前後端縁３ａ，３ｂを含む。前後端縁３ａは前ウエスト域６に位置し、後端縁３ｂは後ウエスト域７に位置している。前端縁３ａは前ウエストシート４によって覆われ、後端縁３ｂは後ウエストシート５によって覆われている。前ウエストシート４は、一方の前側縁９から他方の前側縁９に亘って横方向Ｘに延び、後ウエストシート５は、一方の後側縁１０から他方の後側縁１０に亘って横方向Ｘに延びている。前後ウエストシート４，５は、吸液構造体３を介してそれぞれ外面シート１７側に接着または溶着によって接合されている。吸液構造体３の前後端縁３ａ、３ｂを前後ウエストシート４，５によって覆うことによって、芯材２０が吸液構造体３内からこぼれ出るのを防止するとともに前後ウエスト域を補強している。なお、横方向Ｘにおいて、芯材２０は吸液拡散シート２１で包まれ、吸液拡散シート２１に積層する漏れ防止シート２２およびカバーシート２３が外面シート１７に接着または溶着によって接合されているので、芯材２０が横方向Ｘからこぼれ出ることはない。
【００２６】
吸液構造体３は、その縦方向Ｙを二等分する横中心線ｑ−ｑを含み、この横中心線ｑ−ｑは、シャーシ２の横中心線Ｑ−Ｑよりも前ウエスト域６側に位置するようにしている。したがって、シャーシ２の前端縁１２から吸液構造体３の前端縁３ａまでの寸法Ｌ１よりも、シャーシ２の後端縁１３から吸液構造体３の後端縁３ｂまでの寸法Ｌ２の方が長くなる。さらに、前ウエストシート４の内端縁４ａから外端縁４ｂまでの縦方向Ｙの寸法Ｌ３は、後端縁１３から後ウエストシート５の外端縁５ｂまでの寸法Ｌ４と同じか、それよりも短くなるようにしている。
【００２７】
上記のような構成において、前後側縁９，１０を接合したときの、接合部２５の部分端面図であって図１のＶ−Ｖ線端面図を図５に示している。図示したように、内面シート１６を互いに対向させるとともに、前後端縁１２，１３を対向させるようにして前後側縁９，１０を接合すると、前ウエストシート４は前端縁１２側に位置し、後ウエストシート５は前ウエストシート４よりもクロッチ側縁１１側すなわち、縦方向Ｙの下方に位置する。前ウエストシート４の縦方向Ｙの寸法Ｌ３が、後端縁１３から後ウエストシート５の外端縁５ｂまでの寸法Ｌ４と等しいかそれよりも短くなるようにしているので、前後ウエストシート４，５が重なり合うことがない。前後ウエストシート４，５が重なり合わないので、接合部２５の図面上部で重なり合うのは、内外面シート１６，１７各二枚と前ウエストシート４との計５枚であり、図面下部では内外面シート１６，１７各二枚と後ウエストシート５との計５枚である。さらに中間部であって内外面シート１６，１７のいずれも存在しない部分では内外面シート１６，１７各二枚の計４枚である。
【００２８】
以上のように、接合部２５において重なり合うシートの枚数が最も多い部分で５枚であり、最も少ない部分で４枚であり、これら枚数の差はわずか１枚である。したがって、接合部２５において、重なり合うシートの枚数が部分的に極端に異なることがなく、ほぼ均等の厚さにすることができる。換言すれば、ほとんど段差が生じることがない。接合部２５においてその厚さを均等にすることができるので、加圧接合する場合であっても部分的に接合強度が大きくなったり、小さくなったりすることがない。
【００２９】
前ウエストシート４は、その外端縁４ｂとシャーシ２の前端縁１２とを一致させている。したがって、前端縁１２側では前ウエストシート４がない場合に比べて厚くなり、接合強度を大きくすることができる。前端縁１２においてはウエスト開口１４が形成され、着用時や着用者の動きによって前後側縁９，１０が剥離する方向の力が作用しやすい。しかし、この前端縁１２側で接合強度を大きくすることができるので、ウエスト開口１４側から接合が剥離するのを防止することができる。
【００３０】
後ウエストシート５は、その内端縁５ａを後ウエスト域６とクロッチ域８との境界線に一致させるようにしている。したがって、前後側縁９，１０の接合部であってレッグ開口１５の形成部分において、後ウエストシート５がない場合に比べて厚くすることができ、接合強度を大きくすることができる。レッグ開口１５においては、着用者の足の動きによって接合部が剥離する方向の力が作用しやすい。しかし、レッグ開口１５側での接合強度を大きくすることによって、これら接合が剥離するのを防止することができる。
【００３１】
前後ウエストシート４，５は接合部２５の中間部分においては、重なっていない。すなわち、接合部２５の縦方向の中間部分においては、前後ウエストシート４，５は接しているだけか、または離間している。したがって、この中間部分において他の部分より接合強度が大きくなることはなく、例えばおむつ１の使用後に接合部２５を外して、おむつ１を丸めて捨てるような場合には、前後ウエストシート４，５が重なっている部分だけに力を入れるだけで簡単に外すことができる。接合部２５を簡単に外すことができるので、意図しない部分からおむつ１が妄りに裂けるのを防止することができる。
【００３２】
上記のように前後ウエストシート４，５を離間させて取り付けることによって、接合部２５の接合強度をほぼ一定にすることができるので、接合部２５の接合パターンを縦方向Ｙの上下において変化させる必要がない。すなわち、図１に示したように、接合部２５の縦方向Ｙに亘って同じ形状のパターンで接合することができる。したがって、接合部２５の接合パターンを変化させる場合に比べて、製造コストを軽減し、製造時間を短縮することができる。
【００３３】
接合部２５において、部分的に重なるシートの量が極端に多くなることがないので、シートが多数重なったときの違和感を軽減することができる。すなわち、重なるシートが多くなると、その分、全体の剛性が高くなり、着用者に違和感を与える。さらに、これらシートを熱溶着したり接着したりすることによってその剛性はより高くなり、着用者に対して肌トラブルを引き起こしかねない。この発明では、重なるシートが極端に多くなることがないので、これら肌トラブルを防止することができる。
【００３４】
この発明の接合部２５の接合強度は、前後ウエストシート４，５が位置する部分で１５〜２５Ｎ／２５ｍｍとなるようにしている。接合強度は、接合部２５を縦方向Ｙの長さ寸法が約２５ｍｍ、横方向Ｘの長さ寸法が約３０ｍｍとなるように採取し、これをサンプルとして用いて測定する。サンプルは、前ウエスト域６から接合部２５を介して後ウエスト域７にまたがるようにして作成される。測定は、サンプルの前ウエスト域６側端と後ウエスト域７側端とを掴み、これらを互いに離間する方向に引っ張っておこなわれる。前後ウエスト域６，７の掴み間隔を約１０ｍｍとして、剥離速度３００ｍｍ／ｍｉｎのときの最大強度を測定している。
【００３５】
上記実施形態では、前ウエストシート４をウエスト開口１４側に位置させ、後ウエストシート５をレッグ開口１５側に位置させることとしたが、前ウエストシート４をレッグ開口１５に後ウエストシート５をウエスト開口１４に位置させるようにしてもよい。また、前後ウエストシート４，５のいずれか一方のシートのみを取り付けるようにしてもよい。
接合部２５では、熱溶着によって接合することとしているが、ソニックシールや接着剤による接合でも良い。この場合には、前後ウエストシート４，５として熱融着性の材料を用いる必要はない。ただし、接合部２５を熱溶着により形成することによって、容易かつ低コストで形成することができる。
【００３６】
吸液構造体３は、シャーシ２の外面シート１７に取り付けるようにしているが、内面シート１６に取り付けるようにしてもよい。この場合には、前後ウエストシート４，５を吸液構造体３を介して内面シート１６に接合させることができる。吸液構造体３をシャーシ２とは別の工程で製造してから、シャーシ２の身体側または着衣側に取り付けることとしているので、おむつ１全体の製造工程を簡略化することができ、製造コストの低減を図ることができる。
【図面の簡単な説明】
【００３７】
【図１】おむつの斜視図。
【図２】おむつの展開図。
【図３】図２のＩＩＩ−ＩＩＩ線端面図。
【図４】図２のＶＩ−ＶＩ線端面図。
【図５】図１のＶ−Ｖ線端面図。
【符号の説明】
【００３８】
１    おむつ
２    シャーシ
３    吸液構造体
４    前ウエストシート
５    後ウエストシート
６    前ウエスト域
７    後ウエスト域
８    クロッチ域
９    前側縁
１０    後側縁
１１    クロッチ側縁
１２    前端縁
１３    後端縁
１４    ウエスト開口
１５    レッグ開口
２５    接合部
【図１】
0005211378.tif 000002
【図２】
0005211378.tif 000003
【図３】
0005211378.tif 000004
【図４】
0005211378.tif 000005
【図５】
0005211378.tif 000006